(57)【特許請求の範囲】
【請求項１】
固体インクジェットプリンタにおいてインクを貯蔵するための容積測定容器であって、
断熱材料から成るハウジングであって、前記ハウジングの内部に空間を有し、前記空間は高さ、幅及び奥行を有するハウジングと、
前記ハウジングの空間内に位置合わせされると共に前記空間の幅に渡って固体のインクを均一に溶融するための加熱エレメントと、
を備え、
前記加熱エレメントは、前記空間の前記高さ及び前記幅によって画定される面積より大きい表面積を有するように構成され、
前記加熱エレメントを形成する材料の容積であるパラメトリック量は、前記ハウジング内の前記空間内を完全に満たす液体量の５０％より大きく、
前記加熱エレメントは、各々波形の形状の複数の加熱部材、又は、波形の形状の１つの加熱部材を備える
容積測定容器。
【請求項２】
前記加熱エレメントの少なくとも１部分は、前記空間内の低限界液体レベルの下に伸びる請求項１に記載の容積測定容器。
【請求項３】
前記ハウジングは、前記空間へ接続されると共に溶融したインクを前記空間から受け入れて前記受け入れたインクを射出する印刷ヘッドに接続される請求項１に記載の容積測定容器。
【請求項４】
前記空間における全ての前記固体のインクが溶融する前に前記印刷ヘッドによる印刷を可能にするために、前記印刷ヘッドと連通する出口に近接する前記加熱エレメントの少なくとも一部が、前記出口に近接する固体のインクを前記空間の残りの部分における固体のインクより急速に溶融することを有効化するように、前記加熱エレメントは位置合わせされる請求項３に記載の容積測定容器。
【請求項５】
前記断熱材料は、熱硬化プラスティックである請求項１に記載の容積測定容器。
【発明の詳細な説明】
【技術分野】
【０００１】
以下に記述する装置及び方法は相変化インクを加熱するためのデバイスに関し、より具体的には、凝固したインクを溶融するためにインクリザーバ内で浸漬ヒータを用いることに関する。
【背景技術】
【０００２】
インクジェットプリンタは、インクジェットエジェクタからの液体インクの液滴を射出して、中間転写表面等の画像受容表面上、または用紙等の媒体基材上へ画像を形成する。フルカラーインクジェットプリンタは、幾つかの異なる色の印刷用インクを貯蔵するために複数のインクリザーバを用いる。ある周知のフルカラープリンタは、４つのインクリザーバを有する。各リザーバは、フルカラー画像を生成するために異なるカラーインク、即ちシアン、マゼンタ、イエロー及びブラックインクを貯蔵する。
【０００３】
相変化インクジェットプリンタは、室温で、多くの場合蝋様粘稠度で固相に留まるインクを利用する。インクがプリンタに装填されると、固体インクは溶融デバイスへ移送され、溶融デバイスは固体インクを溶融して液体インクを生成する。液体インクは、印刷ヘッドの内部または外部の何れかにあってもよいリザーバに貯蔵される。液体インクは、必要に応じて印刷ヘッドのインクジェットエジェクタへ供給される。エネルギーの節約またはプリンタの保全のためにプリンタから電力が取り除かれれば、溶融されているインクは冷却され始め、最終的に固体形式に戻る場合がある。この場合、固体インクは、印刷ヘッドによってインクを再度射出できる前に溶融される必要がある。結果的に、インクの溶融に要する時間は、印刷オペレーションに対する固体インクプリンタの可用性に影響を与える。従って、溶融インクを加熱しかつ貯蔵するプリンタ内のデバイスを改良することが望ましい。
【発明の概要】
【課題を解決するための手段】
【０００４】
これまでに、固体インクジェットプリンタ内にインクを貯蔵するための容積測定容器が開発されている。この容器は、ハウジング内部に一定量の空間を有する断熱材料から成るハウジングであって、この空間量は高さ、幅及び深さを有するハウジングと、ハウジングのこの空間量内に位置合わせされる、空間量の幅に渡ってインクを均一に溶融するための加熱エレメントとを含む。加熱エレメントは、空間量の高さ及び幅によって画定される領域より大きい表面積を有するように構成される。
【図面の簡単な説明】
【０００５】
【図１】間接インクジェット印刷システムの略図である。
【図２】加熱エレメントを含むインクリザーバを示す略図である。
【図３】印刷ヘッドリザーバ内部にある加熱エレメントを描いた印刷ヘッドインクリザーバの正面図である。
【図４】図３の線３０２に沿った印刷ヘッドインクリザーバの側面断面図である。
【図５Ａ】固体インクリザーバ内に置かれ得るＰＴＣ加熱エレメントを示す平面図である。
【図５Ｂ】図５Ａの線５２４に沿った加熱エレメントの断面図である。
【図６Ａ】固体インクリザーバ内に置かれ得る穴の開いた加熱エレメントを示す平面図である。
【図６Ｂ】固体インクリザーバ内に置かれ得る別の穴の開いたエレメントを示す平面図である。
【図７】固体インクリザーバ内に置かれ得る折り畳み式ストリップ加熱エレメントを示す切欠き図である。
【発明を実施するための形態】
【０００６】
以下の説明及び添付の図面は、本明細書に記述されるシステム及び方法の環境及び上記システム及び方法の詳細の一般的理解をもたらす。諸図を通じて、類似の参照数字は類似のエレメントを指して用いられる。本明細書における「プリンタ」という用語は、任意の目的で印刷出力機能を実行する、デジタルコピー機、製本機械、ファックス機、多機能機械、他等の任意の装置を包含する。本明細書は、固体インクリザーバ内の固体インクの溶融を制御するシステムに焦点を当てているが、リザーバ内のインクを溶融するための装置は、固相を有する相変化流体を用いる任意のデバイスによって用いられてもよい。さらに、固体インクは、本明細書ではインク、インクスティックまたはスティックと呼ばれる、または称されることもある。「パラメトリックな容積」という用語は、間隙及び空胴を含み得る加熱エレメント等の物体の形の周囲の包絡線によって画定される容積を指す。従って、物体のパラメトリックな容積は、物体内部のオープンスペース、並びに物体を形成する材料の容積も含む。本文書で用いられるパラメトリックな容積は、加熱器が嵌め込まれるぴったりとした多面ボックスの内部容積を意味する。同様に、「パラメトリックな厚さ」という用語は、開口または間隙を含み得る加熱エレメント等の物体の厚さを指す。例えば、波形の物体は、１つの波の頂部から別の波の底部まで広がるパラメトリックな厚さを有する。
【０００７】
図１は、溶融相変化インクを用いる間接またはオフセット印刷用に構成される相変化インク画像デバイスの実施形態を示す略側面図である。図１のデバイス１０は、インク処理システム１２と、印刷システム２６と、媒体供給及び処理システム４８と、制御システム６８とを含む。インク処理システム１２は、固体インクを受け入れ、かつ液体インクを生成するためにこれを溶融デバイスへ送り出す。印刷システム２６は溶融インクを受け入れ、かつシステム６８の制御下で液体インクを画像受容表面へ射出する。媒体供給及び処理システム４８は、デバイス１０内の１つまたは複数の供給装置から媒体を抽出し、媒体の送出しを転写定着ニップに同期させて画像受容表面から媒体へインク画像を転写し、次に印刷された媒体を出力エリアへ送り出す。
【０００８】
さらに詳しく言えば、インクローダとも称されるインク処理システム１２は、一般にインクスティックと呼ばれるインクブロック１４等の固体形式の相変化インクを受け入れるように構成される。インクローダ１２は、インクスティック１４が挿入されるフィードチャネル１８を含む。図１には単一のフィードチャネル１８が示されているが、インクローダ１２は、デバイス１０において使用されるインクスティック１４の各カラーまたは色気毎に別々のフィードチャネルを含む。フィードチャネル１８は、インクスティック１４をチャネル１８の一方の端における溶融アッセンブリ２０へ向けて案内し、溶融アッセンブリ２０においてスティックは、固体インクを溶融して液体インクを形成するために相変化インク溶融温度まで加熱される。溶融温度は、相変化インクの配合に依存して適切な任意のものが用いられてもよい。ある実施形態において、相変化インク溶融温度は約１００゜Ｃから１４０゜Ｃまでである。溶融インクは、一定量の溶融インクをデバイス１０の印刷システム２６へ送出するための溶融形式で保持するように構成されるリザーバ２４に受け入れられる。代替実施形態では、単一のリザーバ２４が印刷ヘッド２８等の複数の印刷ヘッドへインクを供給してもよい。単純化を期して、１つの中間リザーバ２４が図示されているが、画像デバイス１０は、デバイス内で用いられる例えばシアン、マゼンタ、イエロー及びブラック（ＣＭＹＫ）等のインクカラー毎に溶融インクを１つのリザーバで保持するために複数のリザーバを含んでもよい。後に詳述するように、加熱エレメントはリザーバ２４内に位置合わせされる。
【０００９】
印刷システム２６は少なくとも１つの印刷ヘッド２８を含み、印刷ヘッド２８は、溶融インクの液滴を中間面３０上へ射出するように配列されたインクジェットを有する印刷ヘッドリザーバ２７を含む。印刷ヘッドリザーバ２７は、リザーバ２４から導管２５を介して溶融インクを受け入れる。印刷ヘッドリザーバ２７は、後にさらに詳しく示すように、加熱エレメントを含む。図１には、１つの印刷ヘッドが示されているが、任意の適切な数の印刷ヘッド２８が用いられてもよい。印刷ヘッドは、中間面３０へインクを射出するために制御システム６８によって生成されるファイアリング信号に従って動作される。
【００１０】
中間面３０は、ドラム保全ユニット（ＤＭＵ）としても知られる離型剤塗布アッセンブリ３８によって回転部材３４へ塗布される離型剤の層または膜を備える。図１において回転部材３４はドラムとして示されているが、代替実施形態において、回転部材３４は、可動または回転式のベルト、バンドまたは他の類似タイプの構造体を含んでもよい。ニップローラ４０は、ニップ４４を形成するように回転部材３４上の中間面３０に当てて装填され、記録媒体５２のシートは、ニップ４４を介して印刷ヘッド２８のインクジェットによって中間面３０上へ溶着されるインク液滴と見当を合わせたタイミングで供給される。ニップ４４内には圧力が（及び場合によって熱も）発生され、これは、中間面３０を形成する離型剤と共に、実質的にインクが回転部材３４へ粘着しないように防止しながら表面３０からのインク液滴の記録媒体５２への転写を促進する。
【００１１】
デバイス１０の媒体供給及び処理システム４８は、ニップ４４を介して媒体を案内するデバイス１０内に画定された媒体経路５０に沿って記録媒体を移送するように構成され、ニップ４４においてインクは中間面３０から記録媒体５２へ転写される。媒体供給及び処理システム４８は、デバイス１０用に異なるタイプ及びサイズの記録媒体を貯蔵しかつ供給するための供給トレイ５８等の少なくとも１つの媒体ソース５８を含む。媒体供給及び処理システムは、媒体経路５０に沿って媒体を移送するための、駆動され得るローラ６０またはアイドルローラ並びにバフル、偏向板及びこれらに類似するもの等の適切な機構を含む。
【００１２】
媒体経路５０は、媒体がニップ４４へ中間面３０からのインクを受け入れることに適する温度で到達するように、記録媒体の温度を制御しかつ調整するための１つまたは複数の媒体調整デバイスを含んでもよい。例えば、図１の実施形態では、媒体経路５０に沿って、記録媒体をニップ４４への到着前に予め決められた初期温度に至らせるための予備加熱アッセンブリ６４が設けられている。予備加熱アッセンブリ６４は、媒体を、ある実際的な実施形態では約３０゜Ｃから約７０゜Ｃまでの範囲内である目標の予備加熱温度にするために、放射熱、伝導熱または対流熱もしくはこれらの熱形態の任意の組合せに依存してしてもよい。代替実施形態では、媒体経路に沿ってインクが媒体上へ溶着される前、間及び後に他の温度調整デバイスを用いて媒体（またはインク）温度が制御される場合もある。
【００１３】
制御システム６８は、画像デバイス１０の様々なサブシステム、コンポーネント及び機能の動作及び制御を助ける。制御システム６８は、スキャナシステムまたはワークステーション接続等の１つまたは複数の画像ソース７２へ機能的に接続されてこれらのソースからの画像データを受信しかつ管理し、かつプリンタのコンポーネント及びサブシステムへ送出される制御信号を発生する。制御信号の中には、ファイアリング信号等の画像データを基礎とするものがあり、これらのファイアリング信号は先に述べたように印刷ヘッドを動作させる。他の制御信号は、プリンタのコンポーネント及びサブシステムに、中間面３０を準備し、媒体を転写定着ニップへ送出しかつ画像デバイス１０によって出力される媒体上へインク画像を転写するための様々な手順及び動作を実行させる。
【００１４】
制御システム６８は、コントローラ７０と、電子記憶装置またはメモリ７４と、ユーザインタフェース（ＵＩ）７８とを含む。コントローラ７０は、中央処理装置（ＣＰＵ）、特定用途向け集積回路（ＡＳＩＣ）、フィールドプログラマブルゲートアレイ（ＦＰＧＡ）デバイスまたはマイクロコントローラ等の処理デバイスを備える。他のタスクの中でも、この処理デバイスは画像ソース７２によって供給される画像を処理する。コントローラ７０を構成する１つまたは複数の処理デバイスは、メモリ７４に記憶されるプログラムされた命令で構成される。コントローラ７０は、これらの命令を実行してプリンタのコンポーネント及びサブシステムを動作させる。メモリまたは電子記憶装置は、任意の適切なタイプが使用されてもよい。例えば、メモリ７４は、読取り専用メモリ（ＲＯＭ）等の不揮発性メモリであっても、ＥＥＰＲＯＭまたはフラッシュメモリ等のプログラム可能な不揮発性メモリであってもよい。
【００１５】
ユーザインタフェース（ＵＩ）７８は、オペレータと制御システム６８との相互作用を有効化する、画像デバイス１０上へ位置決めされる適切な入力／出力デバイスを備える。例えば、ＵＩ７８はキーパッド及びディスプレイ（不図示）を含んでもよい。コントローラ７０は、デバイスのユーザまたはオペレータによってユーザインタフェース７８へ入力される選択または他の情報を示す信号を受信するために、ユーザインタフェース７８へ機能的に接続される。コントローラ７０は、選択可能なオプション、マシン状態、消耗品状態及びこれらに類似するものを含む情報をユーザまたはオペレータへ表示するためにユーザインタフェース７８へ機能的に結合される。またコントローラ７０は、リモートロケーションから画像データ及びユーザインタラクションデータを受信するために、コンピュータネットワーク等の通信リンク８４へも結合されてもよい。
【００１６】
コントローラ７０は、インク処理システム１２、印刷システム２６、媒体処理システム４８、離型剤塗布アッセンブリ３８、媒体経路５０またはコントローラ７０へ機能的に結合される画像デバイス１０の他のデバイス及び機構等の画像デバイス１０の様々なシステム及びコンポーネントへ出力される制御信号を発生する。コントローラ７０は、メモリ７４に記憶されるプログラムされた命令及びデータに従って制御信号を発生する。制御信号は、例えばシステムコンポーネントの動作速度、電力レベル、タイミング、作動及び他のパラメータを制御して、画像デバイス１０を、本明細書では集合的に動作モードとして表される動作の様々な状態、モードまたはレベルで動作させる。これらの動作モードには、例えば起動または暖機運転モード、運転停止モード、様々な印刷モード、保全モード及び節電モードが含まれる。
【００１７】
図２は、絶縁されたハウジング２０４と、インク２１０の入ったリザーバ容積２０８と、加熱エレメント２１２と、出口２２４とを含むインクリザーバ２００を描いている。導管２４８は、リザーバ容積２０８の出口２２４を印刷ヘッド２５０へ接続する。導線２０６は、加熱エレメント２１２を電源２４４へ接続する。コントローラ２３６は、電源２４４へ機能的に接続される。インクリザーバ２００は溶融アッセンブリ２２８から受け入れる単色の液体インクを保持し、かつカラー画像デバイスでは複数のインクリザーバが用いられてもよい。
【００１８】
ハウジング２０４は、主として固相及び溶融相の双方の様々な相変化インクとの適合性がある断熱材料から成る容積測定容器である。ハウジング２０４における使用には、熱可塑性物質を含む様々なプラスチック及びエラストマ系材料が適する。さらに、ハウジング２０４は、断熱材料及び熱伝導材料双方の１つまたは複数の層を備えてもよい。ハウジング２０４の材料は、リザーバ容積２０８内に少なくとも適度の保温性を与えるように構成される。リザーバ容積２０８は、内のり高さ２５２と、幅２５６（管を介する広がり）と、深さ２６０とを有する。リザーバ内のインク液量の上限はリザーバの閉じ込め量の上限より遙かに低くてもよい。このような構成は、製品がある程度の角度で傾斜してもインクを保持できるようにする。リザーバは、頂部の通気によって部分的に、または完全に開放されてもよい。
【００１９】
例示的な加熱エレメント２１２は、リザーバ容積２０８の幅２５６を略横断して広がる、ベーン状の加熱部材２２０等の複数の加熱部材を含む。加熱エレメント２１２の形状は、インク２１０へ暴露される、リザーバ容積２０８の高さ２５２及び幅２５６によって画定される表面積より大きい表面積を与える。加熱エレメント２１２は、リザーバ容積２０８において、導管近くでのインクの溶融を促進させるために導管２４８に近接する位置を占有し、かつ加熱エレメントはリザーバ容積２０８の底部からリザーバ容積２０８の頂部へと延びる。加熱エレメント２１２のパラメトリックな容積は、液量上部レベル２６８までのリザーバ容積２０８の全容積の５０％より大きい。液量上部レベルは、動作中にリザーバ容積２０８の一部を満たされていない状態に留め得るように、リザーバ２００内のインク量を制限する。加熱エレメント２１２は、破線２６４が示す液体下限レベルより下に延びる。本明細書において、「液体下限レベル」という用語は、動作中に液体リザーバ内に保持されるインク等の流体の最低レベルを指す。リザーバ内の流体レベルがこの液体下限レベルに達するにつれて、プリンタは、リザーバ容積２０８内の流体レベルが液体下限レベルを超えていることを保証するために動作を中断しても、他の措置を講じてもよい。
【００２０】
ある実施形態において、加熱エレメント２１２は正温度係数（ＰＴＣ）材料から形成され、かつ修正形状のＰＴＣサーミスタであってもよい。ＰＴＣ材料は、材料の温度上昇に反応して電流の流れに対して増大される抵抗を示す。セラミック状物質であってもよいＰＴＣ材料は加熱器へと製造され、かつ適宜、または必要に応じて、加熱されるインクまたは他の材料との化学的適合性のためにコーティングされてもよい。導線２０６は、加熱エレメント２１２からハウジング２０４の頂部を介して延びる。図２の実施形態において、リザーバが取外し可能な、または移動可能な頂部またはカバー（不図示）を備えて構成されていれば、加熱エレメント２１２はインクリザーバ２００から取り外されてもよい。また導線２０６は、リザーバ容積２０８内のインク２１０より上のレベルでハウジング２０４の側壁の上側部分を介して延びてもよい。導線２０６は、加熱エレメント２１２の取外し及び交換を容易にするために、グロメットまたはねじ切りされたキャップを介して延びてもよい。
【００２１】
図５Ａ及び図５Ｂは、加熱エレメント２１２を分離して描いている。加熱エレメント２１２は、複数の傾斜したベーン状部材２２０と、エンドプレート５０８Ａ及び５０８Ｂとを含む。加熱エレメント２１２は、リザーバ容積２０８の幅に類似する幅５２０を有する。加熱エレメント２１２におけるベーン２２０間の間隙２１６は、加熱エレメント２１２の表面上のインク接触を促進するために、インクが加熱エレメント２１２内へ、かつ加熱エレメント２１２を介して流れることを可能にする。図５Ｂに示されているように、間隙２１６は各ベーン状部材２２０間で延びる。エンドプレート５０８Ａ及び５０８Ｂはベーン部材２２０を所定位置に保持し、かつ導線２０６等の導線のための接点を提供する。起動されると、加熱エレメント２１２は幅５２０に渡って均一に加熱する。従って、加熱エレメント２１２を含むリザーバ内のインクは、加熱エレメントの幅に沿って均一に溶融する。
【００２２】
図６Ａ及び図６Ｂから分かるように、加熱エレメントの代替設計としてＰＴＣ材料の穴開けされたブロックを採用してもよい。穴開けは、インクがベーン部材２２０内の間隙２１６を通過するインクと同様の方法でブロックを通過できるように、ブロック全体に広がる。本明細書における穴開けという用語は、貫通穴以外にも、凝固する材料が呈し得る例えば成形可能な形態である中断表面を有する任意の形状にまで広がる。図６Ａでは、複数の貫通穴６０４がブロック６００に穴を開けている。図６Ｂでは、ブロック６５０は、ブロックを介して複数のチャネル６５４を形成する蛇行形状を有する。穴開けされたブロック６００及び６５０は共に、液体インクがこれらのブロックを介して流れることを可能にする構造を有する。ブロック内の穴開けの周囲または内部で凝固するインクは、ブロックが加熱されるとすぐに溶融する。
【００２３】
再度図２を参照すると、動作において、溶融アッセンブリ２２８は固体である相変化インクを溶融温度にまで加熱し、溶融インク２２２がインク２１０を保持するリザーバ容積２０８へ流れ込めるようにする。コントローラ２３６は、電源２４４を起動して加熱エレメント２１２へ電流を流させる。加熱器２１２は、インクを液体状態に固定し、次いでプリンタの様々な動作モードの間にこの液体状態を保持する。インクは、出口２２４及び導管２４８を介して印刷ヘッド２５０へ流れてもよい。
【００２４】
別の動作モードでは、インク２１０はリザーバ容積２０８を固相で占有する。コントローラ２３６は、技術上既知である様々なエネルギー節約プログラム及び技術に従って、インク２１０を冷却して凝固させるべく電源２４４を停止してもよい。コントローラ２３６は、典型的には電子制御システムであり、かつ先に述べたコントローラ７０によって具現されてもよい。またインク２１０は、印刷デバイスが、インクを凝固点まで、または凝固点より下まで冷却するに足る時間に渡って電源から外されると凝固する場合もある。電源２４４が加熱エレメント２１２を起動すると、加熱エレメント２１２に近接する領域におけるインク２１０がまず溶融し始める。溶融インクは、加熱エレメント２１２の個々のエレメント間に設けられる間隙２１６等の間隙を介して流れ、出口２２４から導管２４８へ入る。出口２２４の近接位置であるという加熱エレメント２１２のロケーションによって、溶融インクは、加熱エレメント２１２の加熱開始後に迅速に導管２４８を介して流れることができる。インクはリザーバ容積２０８の幅２５６に沿って均一に溶融する一方で、ハウジング２０４の導管２４８とは反対側の壁の近くに位置決めされるインクは加熱エレメント２１２から遠位に位置合わせされ、よって加熱エレメント２１２の方に近いインクよりもゆっくりと溶融し得る。従って、溶融されたインクは、リザーバ容積内のインク２１０の他の部分が固体または上昇した動作温度より低い温度のままであっても、導管２４８を介して印刷ヘッド２５０へ流れることができる。
【００２５】
上述の両動作モードの間、図２において部分２１４として示されている加熱エレメント２１２の一部は、リザーバ容積２０８におけるインク２１０のレベルより上で延びてもよい。インク２１０は、加熱エレメントのインク２１０内に浸漬される部分から熱を奪い、かつ露出された部分２１４を囲む空気はインク２１０より低い速度で熱を奪う。加熱エレメント２１２の製造に使用されるＰＴＣ材料は、露出された部分２１４が、インクリザーバ２００内のインク、加熱エレメント２１２または他のコンポーネントを損傷させ得る温度に達することを防止する。露出部分２１４の温度が上昇するにつれて、露出部分における電流に対する抵抗も温度の上昇に対応して大きくなる。抵抗の増大は電流の流れを減らし、温度と電流とは、インク２１０に浸漬されながら、または空気に露出された場合に加熱エレメント２１２の動作を可能にする温度で均衡する。また加熱エレメント２１２の浸漬された部分も、インク２１０を動作温度範囲を超える温度まで加熱することなく溶融相に保持する平衡温度に達する。ＰＴＣ材料から製造される加熱器は、温度センサを使用する閉ループシステムを必要としないが、より低い温度で発生するスタンバイまたは他の低エネルギー状態等の幾つかのプリンタ状態においては、完全に凝固していないインクの温度を監視することによってエネルギーを節約できる場合がある。
【００２６】
図３及び図４は、ハウジング３０４と、内部リザーバ容積３０８と、導線３０６と、加熱エレメント３１２と、インク吸込口３４６と、温度センサ３２４とを有する印刷ヘッドリザーバ３００を描いている。加熱エレメント３１２は、例えば産業上周知であるように、加熱フィルムまたはトレースを封入するシリコーンまたはポリアミド膜ラミネート等の任意の適切な構造であってもよい非ＰＴＣ抵抗加熱器である。スイッチ３４０は、電源３４４を導線３０６へ機能的に接続する。コントローラ３３６は、温度センサ３２４及びスイッチ３４０へ機能的に接続される。図４は、図３の線３０２に沿って描いた印刷ヘッドリザーバ３００である。図４はさらに、インクリザーバ４０２と、バルブ４０８と、ソレノイド４１２と、複数のインクジェットエジェクタ４１６と、導管４４８とを描いている。印刷ヘッドリザーバ３００のインク３１０は、インクリザーバ４０２から供給される単一のカラーを貯蔵する。
【００２７】
ハウジング３０４は、主として固相及び溶融相の双方の様々な相変化インクとの適合性がある断熱材料から成る。ハウジング３０４は、高さ３５２と、幅３５６と、深さ３６０とを有する、図ではリザーバ容積３０８と分かる内部容積を有する容積測定容器である。リザーバ容積３０８は、インクリザーバ４０２から導管４４８及び吸込口３４６を介して受け入れるインクを保持する。ハウジング３０４における使用には、リザーバの動作温度との適合性がある熱硬化プラスチック、熱可塑性物質及びエラストマ系材料を含む様々なプラスチックが適し、伝統的に使用されるアルミニウム製ハウジングの少なくとも２０倍の断熱をもたらす材料等、これらの材料のうちのどれも、少なくとも適度な度合いの断熱を提供する。さらに、ハウジング３０４は、断熱材料製の１つまたは複数の内部ボイドまたは層を備えてもよい。図４に示されているように、バルブ４０８はハウジング３０４の頂部を介して延び、コントローラ３３６によって発生される信号に応答して動作するソレノイド４１２に反応して選択的に開く。バルブは、既存の印刷システムにおいて既知であるように、リザーバ容積３０８と外気との間の気圧の等化を有効化するように開く。バルブ４０８は、場合により、バルブ４０８の閉止時にバルブ４０８を介する放熱を最小限に抑えるための断熱ストッパを含む。或いは、開放されたポートまたは通気道によって通気が行われてもよい。
【００２８】
図３に示されているように、加熱エレメント３１２はハウジング３０４の底部に近接しかつインクジェットエジェクタ４１６に近接して位置合わせされる。加熱エレメント３１２は、複数の波形にされたベンド３１６及び３２０を含む。加熱エレメント３１２の折り畳み形状はパラメトリックな厚さを増大し、かつハウジング３０４の幅３５６に沿って占められる加熱エレメント３１２の全体長さを減らす。折り畳み式の選択は、加熱エレメント３１２の長さを、折り畳まれない構造に比べて少なくとも４分の１だけ減らす。加熱エレメント３１２は波形にされた形状を有するが、他の様々な折り畳み形状が用いられてもよい。波形にされたベンドのリザーバに対する方向性は、図３に示されているように水平であるが、垂直またはある程度傾斜させることも容易である。図面は、如何なる場合も、加熱器の帯がどのように形成されるか、または使用に際して方向づけられるかを限定するためのものではない。加熱エレメント３１２はほぼリザーバ容積３０８の幅３５６を略横断して延び、加熱エレメント３１２がリザーバ容積３０８の幅に渡って熱を均一に与えることを有効化する。図３及び図４に示されているように、加熱エレメント３１２のパラメトリックな容積は、リザーバ容積３０８に保持される（流体レベル上限における）最大流体容積の５０％より大きい。導線３０６は、電流が電源３４４から加熱エレメント３１２へ流れ込むことを可能にする。導線３０６は、ハウジング３０４の頂部を介して延びる。加熱エレメント３１２は、ハウジング３０４の頂部を介して導線３０６及び加熱エレメント３１２を引っ張ることによって取外しが可能である。
【００２９】
図７は、加熱エレメント３１２をより詳細に描いている。加熱エレメントはストリップヒータであって、電気絶縁層７１６と、熱硬化性粘着層７１２Ａ及び７１２Ｂと、金属オーバーレイ７０８Ａ及び７０８Ｂと、電気抵抗ヒータトレース７２０とを含む。ストリップヒータ３１２は、導線３０６から受け入れる電気を伝達するように構成される少なくとも１つのヒータトレースを含む。図７は、ヒータトレース７２０を切欠き図で示している。第２のヒータトレース（不図示）は、層７１６の下面上を延びる。ヒータトレース７２０は蛇行パターンを有し、ヒータトレース７２０へ印加される電流に応答して発熱する。本明細書において、「蛇行」という用語は、加熱エレメントの形成に使用され得る線形または曲がった経路、円及び方向変化の組合せによる任意の連なりを含む形状またはパターンを指す。熱硬化性粘着層７１２Ａ及び７１２Ｂは、ヒータトレースを有する電気絶縁層７１６を各々金属オーバーレイ７０８Ａ及び７０８Ｂへ接着する。金属オーバーレイ７０８Ａ及び７０８Ｂは、ヒータトレース７２０によって発生される熱がインクをより急速かつ均一に加熱して溶融させることを有効化する熱導体として作用する。金属外層として適切な材料はステンレス鋼及びアルミニウムの２種であるが、他の材料が用いられてもよい。図７は、ストリップヒータ３１２の両側面に金属外層を描いているが、代替加熱エレメントは単一の金属層または金属基材を用いてもよい。接着材料及び金属オーバーレイは、ヒータトレースとの化学的相互作用を排除する隔絶機能を与える。また金属オーバーレイは、リザーバの容積内で流体に沈んでいない加熱エレメントの部分が過熱する可能性も最小限に抑える。ストリップヒータエレメント３１２の任意の適切な構成及び材料構成並びに層の種類は、記述されている用途の適切性に影響することなく上記記述と異なってもよい。
【００３０】
再度図３及び図４を参照すると、温度センサ３２４は、インクリザーバにおける用途に適するサーミスタまたは他の温度検出デバイスであってもよい。温度センサ３２４はハウジング３０４の頂部からインク３１０内へ延びるが、様々な実施形態はインクリザーバ２００内の異なる位置における１つまたは複数の温度センサを用いてもよい。
【００３１】
コントローラ３３６は、図１に示すコントローラ７０等の電子制御デバイスであってもよく、またはサーモスタットとして具現されてもよい。コントローラ３３６は温度センサ３２４からの温度情報を受信し、かつ導線３０６を介する電源３４４から加熱エレメント３１２への電流の流れを制御するためにスイッチ３４０を選択的に開閉する。スイッチ３４０は電気機械的スイッチであっても、半導体スイッチであってもよい。
【００３２】
インク３１０が溶融状態で保持される動作モードにおいて、コントローラ３３６は、温度センサ３４０によって検出されるリザーバ温度に応答してスイッチ３４０を選択的に開閉する。温度センサ３４０によって発生される信号が、インクの温度が予め決められた下限しきい値温度より低いことを示すと、コントローラ３３６はスイッチ３４０を閉じて、電源３４４からの電流を加熱エレメント３１２を介して流させる。加熱エレメント３１２の温度はこの電流に応答して上昇し、リザーバ容積３０８内のインクを加熱する。インク３１０の温度が下限しきい値温度より高い上限しきい値温度に達すると、コントローラ３３６はスイッチ３４０を開いて、加熱エレメント３１２から電流を除去する。或いは、より正確な制御方法は、上下温度設定ポイントからの温度変化率または上記設定ポイントからの偏りに接近する予め決められた温度を用いて、加熱器へ送出される電流及び／またはオン／オフサイクリング周波数の変更を開始する。このタイプの「スイッチ」の一形式は、ＰＩＤコントローラである。相変化インクの幾つかの実施形態では、使用され得る下限及び上限しきい値温度は各々１１０゜Ｃ及び１２５゜Ｃである。
【００３３】
別の動作モードでは、インク３１０は固相でリザーバ容積３０８を占有する。コントローラ３３６は、技術上既知である様々なエネルギー節約プログラム及び技術に従って、インク３１０を冷却して凝固させるべくスイッチ３４０を開いてもよい。またインク３１０は、印刷デバイスが、インクを凝固点まで冷却するに足る時間に渡って電源から外されると凝固する場合もある。凝固したインクを溶融する場合、コントローラ３３６はスイッチ３４０を閉じて、電源３４４からの電流を導線３０６及び加熱エレメント３１２を介して流させる。加熱エレメント３１２は、リザーバ容積３０８の幅３５６に渡って熱を均一に加える。加熱エレメント３１２がインクジェットエジェクタ４１６に近接していることから、インクジェットエジェクタ４１６に近いインク３１０は、リザーバ容積３０８におけるインクジェットエジェクタ４１６から遠い方の部分のインクより急速に溶融する。従って、エジェクタ４１６は印刷ヘッドの幅に渡って溶融インクを均一に受け入れ、よって溶融インクは、インク３１０の一部が固体のままであっても、複数のエジェクタを介する射出に利用できる。
【００３４】
これまでに述べた実施形態は単なる例示であり、代替実施形態を限定するものではない。例えば、図２、図５、図６Ａ及び図６ＢのＰＴＣ加熱エレメント及び図３、図４及び図７の折り畳みストリップ式加熱エレメントは、１つまたは複数の印刷ヘッドへインクを供給するために使用されるより大型のインクリザーバにおいて使用されてもよく、または印刷ヘッドリザーバにおいて使用されてもよい。ストリップヒータまたはＰＴＣヒータの何れに関連して、様々な実装が記述されている。何れの場合も、印刷ヘッド、リザーバ及び様々な非加熱器コンポーネントは何れの加熱技術に対しても適合性がある。例えば、ハウジング材料、通気、温度フィードバック制御、リザーバ容積及び流体レベル容積限度は、どちらのタイプの加熱器で用いられてもよい。加熱エレメントは、リザーバに対して任意に方向づけられてもよい。傾斜した折り畳み、曲り、穴、ボイド及びこれらに類似するものを組み入れる構造は、重力によって液体インクがリザーバ出口へと推進されることを可能にする。図１は、間接的な相変化画像デバイスを描いているが、これまでに述べた加熱エレメント及びリザーバは、直接的なマーキングデバイスを含む相変化インク画像デバイスの他の実施形態における使用にも等しく適する。さらに、記述された特徴は、１つまたは複数のインクリザーバを用いる画像デバイスによる使用、及び１つまたは複数のインクカラーを用いる画像デバイスによる使用に適する。
【図１】
0005723255.tif 000002
【図２】
0005723255.tif 000003
【図３】
0005723255.tif 000004
【図４】
0005723255.tif 000005
【図５Ａ】
0005723255.tif 000006
【図５Ｂ】
0005723255.tif 000007
【図６Ａ】
0005723255.tif 000008
【図６Ｂ】
0005723255.tif 000009
【図７】
0005723255.tif 000010